【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
水面下に鋼部材を有する構造物に取り付けられていて、犠牲陽極と前記鋼部材との間を流れる防食電流の測定に用いる防食電流検出器であって、
一端が前記犠牲陽極に電気的に接続されていて、他端が前記鋼部材に電気的に接続されていて、前記防食電流を検出する検出部品と、
前記犠牲陽極に電気的に接続する端子と前記検出部品の一端に電気的に接続する端子とを電気的に接続してなる犠牲陽極側結線部と、
前記鋼部材に電気的に接続する端子と前記検出部品の他端に電気的に接続する端子とを電気的に接続してなる鋼部材側結線部と、
前記検出部品によって得られる前記防食電流についての電気信号を外部に出力する出力端子に、外部機器に電気的に接続可能な外部機器接続送信線の一端を電気的に接続してなる送信線側結線部と、
前記検出部品、前記犠牲陽極側結線部、前記鋼部材側結線部および前記送信線側結線部を収納する結線ボックスと、
を備え、
前記結線ボックスの内部には水分を吸収して膨らむ膨潤樹脂が充填されていて、前記検出部品、前記犠牲陽極側結線部、前記鋼部材側結線部および前記送信線側結線部は、前記膨潤樹脂によって覆われていることを特徴とする防食電流検出器。
【請求項２】
前記膨潤樹脂は、吸水膨張性の異なる２種の膨潤樹脂からなることを特徴とする請求項１に記載の防食電流検出器。
【請求項３】
吸水膨張性の異なる前記２種の膨潤樹脂は、吸水膨張性を有する吸水性高分子の含有量が５〜４０質量％である硬化型ペースト状ウレタン系樹脂、および吸水膨張性を有する吸水性高分子の含有量が０〜１０質量％である硬化型ペースト状ウレタン系樹脂であることを特徴とする請求項２に記載の防食電流検出器。
【請求項４】
前記犠牲陽極側結線部、前記鋼部材側結線部および前記送信線側結線部の少なくともいずれか１つにおいては、雄型端子と雌型端子からなる一対の端子が用いられており、前記雄型端子と前記雌型端子を嵌め合わせて、嵌合させる方向に押し込むことにより、前記雄型端子と前記雌型端子を嵌合させて電気的に接続させることができることを特徴とする請求項１〜３のいずれかに記載の防食電流検出器。
【請求項５】
前記犠牲陽極側結線部、前記鋼部材側結線部および前記送信線側結線部は、外側がカバーで被覆されていることを特徴とする請求項４に記載の防食電流検出器。
【請求項６】
水面下に鋼部材を有する構造物に取り付けられていて、前記鋼部材についての電位データの測定に用いる照合電極装置であって、
照合電極と、
前記照合電極の電位データを外部に出力する出力端子に、外部機器に電気的に接続可能な外部機器接続送信線の一端を電気的に接続してなる送信線側結線部と、
前記送信線側結線部を収納する結線ボックスと、
を備え、
前記結線ボックスの内部には膨潤樹脂が充填されていて、前記送信線側結線部は、前記膨潤樹脂によって覆われていることを特徴とする照合電極装置。
【請求項７】
前記膨潤樹脂は、吸水膨張性の異なる２種の膨潤樹脂からなることを特徴とする請求項６に記載の照合電極装置。
【請求項８】
吸水膨張性の異なる前記２種の膨潤樹脂は、吸水膨張性を有する吸水性高分子の含有量が５〜４０質量％である硬化型ペースト状ウレタン系樹脂、および吸水膨張性を有する吸水性高分子の含有量が０〜１０質量％である硬化型ペースト状ウレタン系樹脂であることを特徴とする請求項７に記載の照合電極装置。
【請求項９】
前記送信線側結線部においては、雄型端子と雌型端子からなる一対の端子が用いられており、前記雄型端子と前記雌型端子を嵌め合わせて、嵌合させる方向に押し込むことにより、前記雄型端子と前記雌型端子を嵌合させて電気的に接続させることができることを特徴とする請求項６〜８のいずれかに記載の照合電極装置。
【請求項１０】
前記送信線側結線部は、外側がカバーで被覆されていることを特徴とする請求項９に記載の照合電極装置。
【請求項１１】
水面下に鋼部材を有する構造物の電気防食に用いる電気防食モニタリング装置であって、
請求項１〜５のいずれかに記載の防食電流検出器と、
前記防食電流検出器から前記防食電流についての電気信号を受信して、前記防食電流についてのデータを測定するとともに、測定した前記防食電流についてのデータの記録および表示のうちの少なくとも一方を行うモニタリング部と、
前記防食電流についての電気信号を前記モニタリング部に送信するモニタリング部接続送信線と、
を備え、
前記防食電流検出器は、前記構造物に取り付けられており、また、前記外部機器接続送信線は前記モニタリング部接続送信線であり、前記モニタリング部接続送信線の一端は、前記防食電流検出器の前記出力端子に電気的に接続されていて、前記送信線側結線部を形成しており、前記モニタリング部接続送信線の他端は前記モニタリング部と電気的に接続していることを特徴とする電気防食モニタリング装置。
【請求項１２】
水面下に鋼部材を有する構造物の電気防食に用いる電気防食モニタリング装置であって、
請求項６〜１０のいずれかに記載の照合電極装置と、
前記照合電極と前記鋼部材との電位差についての電気信号を受信して、前記鋼部材の電位についてのデータを測定するとともに、測定した前記鋼部材の電位についてのデータの記録および表示のうちの少なくとも一方を行うモニタリング部と、
前記照合電極装置からの電気信号を前記モニタリング部に送信するモニタリング部接続送信線と、
を備え、
前記照合電極装置は、前記構造物に取り付けられており、また、前記外部機器接続送信線は前記モニタリング部接続送信線であり、前記モニタリング部接続送信線の一端は、前記照合電極装置の前記出力端子に電気的に接続されていて、前記送信線側結線部を形成しており、前記モニタリング部接続送信線の他端は前記モニタリング部と電気的に接続していることを特徴とする電気防食モニタリング装置。
【請求項１３】
前記構造物は、ジャケットであることを特徴とする請求項１１または１２に記載の電気防食モニタリング装置。
【請求項１４】
前記モニタリング部接続送信線は、前記ジャケットを構成する鋼管の内部を経由して、前記送信線側結線部に達していることを特徴とする請求項１３に記載の電気防食モニタリング装置。
【請求項１５】
請求項１〜５のいずれかに記載の防食電流検出器が取り付けられたジャケットであって、該防食電流検出器の取り付けられた箇所が水中に存することを特徴とするジャケット。
【請求項１６】
請求項６〜１０のいずれかに記載の照合電極装置が取り付けられたジャケットであって、該照合電極装置の取り付けられた箇所が水中に存することを特徴とするジャケット。
【請求項１７】
請求項１〜５のいずれかに記載の防食電流検出器および請求項６〜１０のいずれかに記載の照合電極装置が取り付けられたジャケットであって、前記防食電流検出器の取り付けられた箇所および前記照合電極装置の取り付けられた箇所が水中に存することを特徴とするジャケット。
【請求項１８】
水面下に配置する鋼部材を有するジャケットであって、
犠牲陽極と前記鋼部材との間を流れる防食電流を検出する検出部品と、
一端が前記検出部品に、他端が外部機器に、それぞれ電気的に接続されていることにより、前記検出部品によって得られる前記防食電流についての電気信号を前記外部機器に送信する送信線と、
を備えており、
前記検出部品は膨潤物質により覆われており、
前記送信線は、水面より下方の位置において、前記鋼部材の内空間に配置されていることを特徴とするジャケット。
【請求項１９】
水面下に配置する鋼部材を有するジャケットであって、
前記鋼部材についての電位データの測定に用いる照合電極と、
該照合電極と電気的に接続する送信線側結線部と、
一端が前記送信線側結線部に、他端が外部機器に、それぞれ電気的に接続されていることにより、前記照合電極の電位データを前記送信線側結線部経由で前記外部機器に送信する送信線と、
を備えており、
前記送信線側結線部は膨潤物質により覆われており、
前記送信線は、水面より下方の位置において、前記鋼部材の内空間に配置されていることを特徴とするジャケット。
【請求項２０】
前記送信線は、保護管の内部に配置されており、前記保護管とともに前記鋼部材の内空間に配置されていることを特徴とする請求項１８または１９に記載のジャケット。
【手続補正２】
【補正対象書類名】明細書
【補正対象項目名】００３１
【補正方法】変更
【補正の内容】
【００３１】
本発明に係るジャケットの第３の態様は、前記防食電流検出器および前記照合電極装置が取り付けられたジャケットであって、前記防食電流検出器の取り付けられた箇所および前記照合電極装置の取り付けられた箇所が水中に存することを特徴とするジャケットである。
本発明に係るジャケットの第４の態様は、水面下に配置する鋼部材を有するジャケットであって、犠牲陽極と前記鋼部材との間を流れる防食電流を検出する検出部品と、一端が前記検出部品に、他端が外部機器に、それぞれ電気的に接続されていることにより、前記検出部品によって得られる前記防食電流についての電気信号を前記外部機器に送信する送信線と、を備えており、前記検出部品は膨潤物質により覆われており、前記送信線は、水面より下方の位置において、前記鋼部材の内空間に配置されていることを特徴とするジャケットである。
本発明に係るジャケットの第５の態様は、水面下に配置する鋼部材を有するジャケットであって、前記鋼部材についての電位データの測定に用いる照合電極と、該照合電極と電気的に接続する送信線側結線部と、一端が前記送信線側結線部に、他端が外部機器に、それぞれ電気的に接続されていることにより、前記照合電極の電位データを前記送信線側結線部経由で前記外部機器に送信する送信線と、を備えており、前記送信線側結線部は膨潤物質により覆われており、前記送信線は、水面より下方の位置において、前記鋼部材の内空間に配置されていることを特徴とするジャケットである。
本発明に係るジャケットの第４および第５の態様において、前記送信線は、保護管の内部に配置されており、前記保護管とともに前記鋼部材の内空間に配置されているようにしてもよい。